(57)【要約】      （修正有）【課題】ドライバーを内蔵したタッチペンを提供する。【解決手段】タッチペンは、タッチパネル画面においてタッチ操作するためのタッチペンであって、指で持つことができると共に、分離できるように構成された本体と、本体の分離された一方である一方部１１に取り付けられたドライバー１３と、本体の分離された他方である他方部１２に設けられ、ドライバー１３を収納する空所の収納部１４と、本体の分離された一方部１１と本体の分離された他方部１２とを連結する連結手段となる雄ねじ部１６、雌ねじ部１７とを備え、本体の収納部１４にドライバー１３を収納しているものである。【選択図】図２
0003196224.tif 000002
【実用新案登録請求の範囲】
【請求項１】
タッチパネル画面においてタッチ操作するためのタッチペンであって、
指で持つことができると共に、分離できるように構成された本体と、
前記本体の分離された一方である一方部に取り付けられたドライバーと、
前記本体の分離された他方である他方部に設けられ、前記ドライバーを収納する空所の収納部と、
前記本体の分離された一方部と前記本体の分離された他方部とを連結する連結手段とを備え、
前記本体の前記収納部に前記ドライバーを収納している
ことを特徴とするタッチペン。
【請求項２】
部材をネジで取り付けられた機器本体のタッチパネル画面においてタッチ操作するためのタッチペンであって、
指で持つことができると共に、分離できるように構成された本体と、
前記本体の分離された一方である一方部に取り付けられ、前記ネジを回すためのドライバーと、
前記一方部に設けられ、前記ドライバーが取り付けられたドライバー取り付け部位と、
このドライバーの取り付け部位の外周に設けられた雄ねじ部と、
前記本体の分離された他方である他方部に設けられ、前記ドライバーを収納する空所の収納部とを備え、
前記雄ねじ部に螺合する雌ねじ部を前記収納部の内壁面に設けている
ことを特徴とするタッチペン。
【請求項３】
機器本体は、携帯用であり、
他方部と前記機器本体を紐部材で連結されている
ことを特徴とする請求項２記載のタッチペン。
【請求項４】
機器本体は、携帯用であり、
収納部と反対側の他方部の部位に孔が複数設けられ、
複数の孔は、前記他方部の長手方向に沿って設けられ、
この複数の孔の内の一つと前記機器本体とが紐部材で連結されている
ことを特徴とする請求項２記載のタッチペン。
【考案の詳細な説明】
【技術分野】
【０００１】
本考案は、タッチペンに係り、特に、ドライバーを内蔵したタッチペンに関する。
【背景技術】
【０００２】
従来、機器本体（例えば、ゲーム機器）のタッチパネル画面においてタッチ操作するためのタッチペンがある（特許文献１参照）。
【先行技術文献】
【特許文献】
【０００３】
【特許文献１】特開２０１４−１０２５３１号公報
【考案の概要】
【考案が解決しようとする課題】
【０００４】
しかしながら、上記のタッチペンにあっては、タッチパネル画面においてタッチ操作するための機能しかなく、例えば、機器本体のネジを取り外す必要がある場合がある。
かかる場合、別途、ドライバーを捜さなければならず、使用勝手が良好でないという問題点があった。
【０００５】
本考案は、前記問題点を考慮してなされたもので、ドライバーを内蔵したタッチペンを提供することを目的とする。
【課題を解決するための手段】
【０００６】
請求項１記載のタッチペンは、タッチパネル画面においてタッチ操作するためのタッチペンであって、指で持つことができると共に、分離できるように構成された本体と、 前記本体の分離された一方である一方部に取り付けられたドライバーと、前記本体の分離された他方である他方部に設けられ、前記ドライバーを収納する空所の収納部と、前記本体の分離された一方部と前記本体の分離された他方部とを連結する連結手段とを備え、前記本体の前記収納部に前記ドライバーを収納しているものである。
【０００７】
また、請求項２記載のタッチペンは、部材をネジで取り付けられた機器本体のタッチパネル画面においてタッチ操作するためのタッチペンであって、指で持つことができると共に、分離できるように構成された本体と、前記本体の分離された一方である一方部に取り付けられ、前記ネジを回すためのドライバーと、前記一方部に設けられ、前記ドライバーが取り付けられたドライバー取り付け部位と、このドライバーの取り付け部位の外周に設けられた雄ねじ部と、前記本体の分離された他方である他方部に設けられ、前記ドライバーを収納する空所の収納部とを備え、前記雄ねじ部に螺合する雌ねじ部を前記収納部の内壁面に設けているものである。
【０００８】
また、請求項３記載のタッチペンは、請求項２記載のタッチペンにおいて、機器本体は、携帯用であり、他方部と前記機器本体を紐部材で連結されているものである。
【０００９】
また、請求項４記載のタッチペンは、請求項２記載のタッチペンにおいて、機器本体は、携帯用であり、収納部と反対側の他方部の部位に孔が複数設けられ、複数の孔は、前記他方部の長手方向に沿って設けられ、この複数の孔の内の一つと前記機器本体とが紐部材で連結されているものである。
【考案の効果】
【００１０】
請求項１記載のタッチペンによれば、タッチパネル画面においてタッチ操作するためのタッチペンの機能に加え、ねじを回すための工具としてのドライバーを本体に内蔵しているため、ドライバーが必要なとき、連結手段を解除して迅速に対応することができる。
【００１１】
また、請求項２記載のタッチペンによれば、タッチパネル画面においてタッチ操作するためのタッチペンの機能に加え、機器本体のネジを回すための工具としてのドライバーを本体に内蔵しているため、ドライバーが必要なとき、雄ねじ部と雌ねじ部との連結状態を解除して機器本体のネジに対して迅速に対応することができる。
【００１２】
また、請求項３記載のタッチペンによれば、上述した請求項２記載の考案の効果に加え、他方部と機器本体を紐部材で連結されているため、本体が誤って分離されたとしても、ドライバーは本体の分離された一方部に付いて脱落し、携帯側に付いていない分、むき出しのドライバーによる危険性も生じない。
【００１３】
また、請求項４記載のタッチペンによれば、上述した請求項２記載の考案の効果に加え、他方部と機器本体を紐部材で連結されているため、本体が誤って分離されたとしても、ドライバーは本体の分離された一方部に付いて脱落し、携帯側に付いていない分、むき出しのドライバーによる危険性も生じない。加えて、機器本体の操作者の手の大きさに合うよう選んだ複数の孔の内の一つと機器本体とが紐部材で連結するため、機器本体の操作者の手の大きさに対応することができる。
【図面の簡単な説明】
【００１４】
【図１】図１は、本考案の一実施例のタッチペンが紐部材を介して機器本体に連結した状態の概略的斜視図である。
【図２】図２は、図１のタッチペンの本体が分離された状態を示す概略的斜視図である。
【図３】図３は、図１の機器本体の概略的底面図である。
【図４】図４は、図１の機器本体の部材を取り外した状態の概略的底面図である。
【図５】図５は、図３の部材と異なる他の部材を取り付けた状態の概略的底面図である。
【図６】図６は、図１の紐部材の機器本体に連結した部位を示す概略的斜視図である。
【図７】図７は、図１の紐部材に連結したタッチペンを示す概略的斜視図である。
【図８】図８は、図１の機器本体を開いた状態を示す概略的斜視図である。
【考案を実施するための形態】
【００１５】
本考案の一実施例のタッチペンを図面（図１乃至図８）を参照して説明する。
図１に示すＰはタッチペンで、タッチペンＰは、機器本体１［例えば、ゲーム機器、携帯用機器本体（具体的には、携帯用ゲーム機器］のタッチパネル画面２、３（図８参照）においてタッチ操作するためのものである。
機器本体１は、ネジ４、４で部材５（例えば、カバー）が取り付けられている。
【００１６】
タッチペンＰは、指で持つことができると共に、分離できるように構成された本体１０を有している。
本体１０は、一方部１１と他方部１２とを有し、連結手段により分離できるようになっている。
連結手段は、本体１０の分離された一方である一方部１１と本体１０の分離された他方である他方部１２とを連結するもので、例えば、後述する雄ねじ部１６と、この雄ねじ部１６に螺合する雌ねじ部１７（連結手段は、雄ねじ部１６、雌ねじ部１７に限らず、例えば、図示しないが、磁石等によっても良い。）で形成することができる。
【００１７】
図２に示す１３は、本体１０の分離された一方部１１に取り付けられたドライバーである。
また、図２に示す１４は、本体１０の分離された他方部１２に設けられ、ドライバー１３を収納する空所の収納部で、ドライバー１３は、タッチペンＰとして使用される場合、図１に示すように、本体１０の収納部１４にドライバー１３を収納するようにしている。
【００１８】
従って、上述したタッチペンＰによれば、タッチパネル画面２、３においてタッチ操作するためのタッチペンＰの機能に加え、ネジを回すための工具としてのドライバー１３を本体１０に内蔵しているため、ドライバー１３が必要なとき、上述した連結手段を解除して迅速に対応することができる。
【００１９】
上述した連結手段について、説明すると、連結手段は、ドライバー１３の取り付け部位１５の外周に設けられた雄ねじ部１６と、この雄ねじ部１６に螺合する雌ねじ部１７とを備えている。
雌ねじ部１７は、収納部１７の内壁面に設けられている。なお、ドライバー１３は、部材５を固定するネジ４、４（図３参照）を回すためのものであれば、好適で、例えば、部材５を図４に示すように取り外し、ＳＤカード挿入口４’（図４参照）を介して図示しないＳＤカードの脱着が容易となったり、また、図３の部材５に代えて、図３の部材５と異なる他の部材５’（他の部材５’は、具体的には、きせかえプレート・・・図５参照）を容易に取り付けることができる。
つまり、機器本体１のネジ４、４を回すための工具としてのドライバー１３を本体１０に内蔵しているため、ドライバー１３が必要なとき、雄ねじ部１６と雌ねじ部１７との連結状態を解除して機器本体１のネジ４、４に対して迅速に対応することができることとなる。
【００２０】
タッチペンＰは、紐部材２０（図１及び図８参照）を介して機器本体１に連結されている。本実施例では、本体１０の分離された他方部１２と機器本体１を紐部材２０で連結されている。
これは、本体１０が誤って一方部１１と他方部１２とに分離されたとしても、ドライバー１３は本体１０の分離された一方部１１に付いて脱落し、携帯側に付いていない分、むき出しのドライバー１３による危険性も生じないようにするためである。
【００２１】
また、図７に示すように、収納部１４と反対側の他方部１２の部位に孔１２１、１２２、１２３、１２４、１２５、１２６が複数設けられ、複数の孔１２１、１２２、１２３、１２４、１２５、１２６は、他方部１２の長手方向に沿って設けられている。
この複数の孔１２１、１２２、１２３、１２４、１２５、１２６の内の一つ（本実施例では、孔１２１）と機器本体１とが紐部材２０で連結されている。
このように、機器本体１の操作者の手の大きさに合うよう選んだ複数の孔１２１、１２２、１２３、１２４、１２５、１２６の内の一つ（本実施例では、孔１２１）と機器本体１とが紐部材２０で連結するため、機器本体１の操作者の手の大きさに対応することができることとなる。
なお、図示しないが、複数の孔１２１、１２２、１２３、１２４、１２５、１２６の内、紐部材２０で連結されていない孔については、図示しないチャーム（小さな飾り）等を取り付けることができる。
【符号の説明】
【００２２】
Ｐ        タッチペン
２        タッチパネル画面
３        タッチパネル画面
１０      本体
１１      一方部
１２      他方部
１３      ドライバー
１４      収納部
【図１】
0003196224.tif 000003
【図２】
0003196224.tif 000004
【図３】
0003196224.tif 000005
【図４】
0003196224.tif 000006
【図５】
0003196224.tif 000007
【図６】
0003196224.tif 000008
【図７】
0003196224.tif 000009
【図８】
0003196224.tif 000010